(57)【要約】【課題】利用者に信頼性の高い情報を提供することが可能であり、安全かつ円滑に求人活動及び求職活動を行うことができるマッチング管理システム等を提供する。【解決手段】医療機関１１５のクライアント１０５が医師の照会依頼を行うと、あるいは、医師１１６のクライアント１０６が医療機関への応募依頼を行うと、情報提供会社１１３の情報提供サーバ１０３は、これらの照会依頼及び応募依頼を依頼情報２６１（照会依頼情報２６２、応募依頼情報２６３）としてマッチングデータベース１２３に登録、保持する。情報管理会社１１４の情報管理サーバ１０４は、医療機関情報、医師情報、履歴情報等を判断材料として、依頼情報の内容を審査し、当該依頼情報の処理の可否、提示の可否についての審査結果を情報提供サーバ１０３に返す。【選択図】　図２
2004094759.tif 000002
【特許請求の範囲】
【請求項１】
情報提供サーバと、情報管理サーバと、求人者の第１のクライアントと、求職者の第２のクライアントと、がネットワークを介して接続されたマッチング管理システムであって、
前記情報提供サーバは、
前記求人者の信用情報及び求人条件を含む求人者情報と、前記求職者の信用情報及び求職条件を含む求職者情報と、前記求人者から前記求職者への照会の依頼及び前記求職者から前記求人者への応募の依頼を含む依頼情報と、前記照会及び前記応募の内容を含む提示情報と、前記照会及び前記応募の成立後の経過を含む成立情報と、前記照会及び前記応募に関する履歴情報と、を保持する保持手段と、
を具備し、
前記情報管理サーバは、
前記求人者情報及び前記求職者情報及び前記履歴情報に基づいて、前記依頼情報を審査し、前記照会及び前記応募の内容の提示許否を決定する審査手段と、
を具備することを特徴とするマッチング管理システム。
【請求項２】
前記情報提供サーバは、さらに、
前記審査手段が前記依頼情報の提示を許可した場合、前記依頼情報を前記提示情報に移行する第１の移行手段と、
前記第１のクライアントまたは前記第２のクライアントの要求に応じて前記提示情報を送信する提示情報送信手段と、
を具備することを特徴とする請求項１に記載のマッチング管理システム。
【請求項３】
前記情報提供サーバは、さらに、
前記第１のクライアントまたは前記第２のクライアントから前記応募または前記照会に対する応諾が送られると、前記提示情報を前記成立情報に移行する第２の移行手段と、
前記第１のクライアントまたは前記第２のクライアントの要求に応じて前記成立情報を送信する成立情報送信手段と、
を具備することを特徴とする請求項２に記載のマッチング管理システム。
【請求項４】
前記情報提供サーバは、さらに、
前記第１のクライアントまたは前記第２のクライアントから前記経過が送られると前記成立情報及び前記履歴情報に反映する手段と、
を具備することを特徴とする請求項３に記載のマッチング管理システム。
【請求項５】
前記情報管理サーバは、さらに、
前記審査の結果が提示不可の場合、警告表示する手段を具備することを特徴とする請求項１から請求項４のいずれかに記載のマッチング管理システム。
【請求項６】
情報管理サーバと、求人者の第１のクライアントと、求職者の第２のクライアントと、にネットワークを介して接続された情報提供サーバであって、
前記求人者の信用情報及び求人条件を含む求人者情報と、前記求職者の信用情報及び求職条件を含む求職者情報と、前記求人者から前記求職者への照会の依頼及び前記求職者から前記求人者への応募の依頼を含む依頼情報と、前記照会及び前記応募の内容を含む提示情報と、前記照会及び前記応募の成立後の経過を含む成立情報と、前記照会及び前記応募に関する履歴情報と、を保持する保持手段と、
前記情報管理サーバから前記依頼情報の内容の提示許否に関する審査結果を受信する審査結果受信手段と、
を具備することを特徴とする情報提供サーバ。
【請求項７】
前記審査結果が提示許可を示す場合、前記依頼情報を前記提示情報に移行する第１の移行手段と、
前記第１のクライアントまたは前記第２のクライアントの要求に応じて前記提示情報を送信する提示情報送信手段と、
を具備することを特徴とする請求項６に記載の情報提供サーバ。
【請求項８】
前記第１のクライアントまたは前記第２のクライアントから前記応募または前記照会に対する応諾が送られると、前記提示情報を前記成立情報に移行する第２の移行手段と、
前記第１のクライアントまたは前記第２のクライアントの要求に応じて前記成立情報を送信する成立情報送信手段と、
を具備することを特徴とする請求項７に記載の情報提供サーバ。
【請求項９】
前記第１のクライアントまたは前記第２のクライアントから前記経過が送られると前記成立情報及び前記履歴情報に反映する手段と、
を具備することを特徴とする請求項８に記載の情報提供サーバ。
【請求項１０】
請求項１から請求項５までのいずれかに記載のマッチング管理システムに用いられる情報管理サーバ。
【請求項１１】
求人者の第１のクライアントと、求職者の第２のクライアントと、にネットワークを介して接続された情報提供サーバが実行する情報提供方法であって、
前記情報提供サーバは、
前記求人者の信用情報及び求人条件を含む求人者情報と、前記求職者の信用情報及び求職条件を含む求職者情報と、前記求人者から前記求職者への照会の依頼及び前記求職者から前記求人者への応募の依頼を含む依頼情報と、前記照会及び前記応募の内容を含む提示情報と、前記照会及び前記応募の成立後の経過を含む成立情報と、前記照会及び前記応募に関する履歴情報と、を保持する保持ステップと、
を具備し、
前記情報管理サーバは、
前記求人者情報及び前記求職者情報及び前記履歴情報に基づいて、前記依頼情報を審査し、前記照会及び前記応募の内容の提示許否を決定する審査ステップと、
を具備することを特徴とするマッチング管理方法。
【請求項１２】
前記情報提供サーバは、さらに、
前記審査ステップが前記依頼情報の提示を許可した場合、前記依頼情報を前記提示情報に移行する第１の移行ステップと、
前記第１のクライアントまたは前記第２のクライアントの要求に応じて前記提示情報を送信する提示情報送信ステップと、
を具備することを特徴とする請求項１１に記載のマッチング管理方法。
【請求項１３】
前記情報提供サーバは、さらに、
前記第１のクライアントまたは前記第２のクライアントから前記応募または前記照会に対する応諾が送られると、前記提示情報を前記成立情報に移行する第２の移行ステップと、
前記第１のクライアントまたは前記第２のクライアントの要求に応じて前記成立情報を送信する成立情報送信ステップと、
を具備することを特徴とする請求項１２に記載のマッチング管理方法。
【請求項１４】
前記情報提供サーバは、さらに、
前記第１のクライアントまたは前記第２のクライアントから前記経過が送られると前記成立情報及び前記履歴情報に反映するステップと、
を具備することを特徴とする請求項１３に記載のマッチング管理方法。
【請求項１５】
前記情報管理サーバは、さらに、
前記審査の結果が提示不可の場合、警告表示するステップを具備することを特徴とする請求項１１から請求項１４のいずれかに記載のマッチング管理方法。
【請求項１６】
コンピュータを請求項６から請求項９のいずれかに記載の情報提供サーバとして機能させるプログラム。
【請求項１７】
コンピュータを請求項６から請求項９のいずれかに記載の情報提供サーバとして機能させるプログラムを記録した記録媒体。
【請求項１８】
コンピュータを請求項１０に記載の情報管理サーバとして機能させるプログラム。
【請求項１９】
コンピュータを請求項１０に記載の情報管理サーバとして機能させるプログラムを記録した記録媒体。
【発明の詳細な説明】
【０００１】
【発明の属する技術分野】
本発明は、ネットワークを介したマッチング管理システムに関する。より詳細には、医療機関等の求人者と医師等の求職者とを結びつけるマッチング管理システム等に関する。
【０００２】
【従来の技術】
従来、ネットワーク、例えば、インターネットを用いた人材マッチング管理システムが幾つか存在する。これらの人材マッチング管理システムは、求人側（企業等）と求職者をマッチングするシステムであるが、医療機関等と医師等を結びつけるマッチング管理システムはない。
【０００３】
【発明が解決しようとする課題】
一般に、医療業務はその性質上高度の信頼性が要求され、また、医師免許証保持者たる医師のみが医療行為を行うことができる。従って、医療機関と医師との間のマッチング管理システムに関しては、より高い信頼性及び安全性が要求される。
【０００４】
しかしながら、従来のマッチング管理システムを医療機関と医師とのマッチングに適用したとしても、求職者たる医師の信頼性を担保するのは困難である。例えば、医師の資格を有しない者が自ら医師と称してマッチング管理システムに登録する事態も想定される。この場合、医療機関は、従来のマッチング管理システムにより接触を持った医師に対して、身元の確認、医師免許証保有の確認等を行うことになり、医師側にしても、身元、医師免許証、国家資格等に係る証明書類等を準備する必要が生じ、マッチング管理システムを利用する医療機関、医師の双方にとって負担が生じるという問題点がある。
【０００５】
また、求人側が採用者を決定した場合、求職側が就職先を決定した場合等、求人、求職を終了した旨をマッチング管理システムに即座に反映させない場合、求人が終了した企業等に応募したり、求職が終了した利用者等に照会を求めたりしたりしてしまうといった無駄が生じるという問題点がある。
【０００６】
本発明は、以上の問題点に鑑みてなされたものであり、利用者に信頼性の高い情報を提供することが可能であり、安全かつ円滑に求人活動及び求職活動を行うことができるマッチング管理システム等を提供することを目的とする。
【０００７】
【課題を解決するための手段】
前述した目的を達成するために第１の発明は、情報提供サーバと、情報管理サーバと、求人者の第１のクライアントと、求職者の第２のクライアントと、がネットワークを介して接続されたマッチング管理システムであって、前記情報提供サーバは、前記求人者の信用情報及び求人条件を含む求人者情報と、前記求職者の信用情報及び求職条件を含む求職者情報と、前記求人者から前記求職者への照会の依頼及び前記求職者から前記求人者への応募の依頼を含む依頼情報と、前記照会及び前記応募の内容を含む提示情報と、前記照会及び前記応募の成立後の経過を含む成立情報と、前記照会及び前記応募に関する履歴情報と、を保持する保持手段と、を具備し、前記情報管理サーバは、前記求人者情報及び前記求職者情報及び前記履歴情報に基づいて、前記依頼情報を審査し、前記照会及び前記応募の内容の提示許否を決定する審査手段と、を具備することを特徴とするマッチング管理システムである。
【０００８】
第１の発明では、情報提供サーバは、求人者情報、求職者情報、依頼情報、提示情報、成立情報、履歴情報をデータベースに保持する。情報管理サーバは、求人者情報、求職者情報、履歴情報等に基づいて、依頼情報の内容を審査し、照会及び応募の内容の提示許否を決定し、情報提供サーバに結果を送る。また、情報管理サーバは、審査の結果が提示不可の場合、警告表示する。
【０００９】
「求人者情報」は、求人者を特定するための情報であって、例えば、求人者が医療機関である場合、医療機関名、所在地、診療科目、病床数、勤務条件、求人条件等である。また、この求人者情報に、求人者の信用を担保するための情報（信用情報）、例えば、公的な登録の有無、求人者が所定の条件を満たすかどうか等を含ませるようにしてもよい。この信用情報は、上記の審査の判断材料とされる。
【００１０】
「求職者情報」は、求職者を特定するための情報であって、例えば、求職者が医師である場合、住所、氏名、年齢、学歴、職歴、求職条件等である。また、この求職者情報に、求職者の信用を担保するための情報（信用情報）、例えば、医師免許証確認の有無、求職者が所定の条件を満たすかどうか等を含ませるようにしてもよい。この信用情報は、上記の審査の判断材料とされる。
【００１１】
「依頼情報」は、求人者から所望の求職者への照会の依頼に関する照会依頼情報、及び、求職者から所望の求人者への応募の依頼に関する応募依頼情報を有する。この依頼情報は、情報管理サーバによる審査の受付待ち情報として情報提供サーバのデータベース等の保持手段に保持される。
【００１２】
「提示情報」は、情報提供サーバにアクセスするクライアントに提示する照会及び応募の内容に関する情報（照会提示情報、応募提示情報）を有する。尚、情報提供サーバは、情報管理サーバから提示許可があった場合、該当する依頼情報を移行（変換等）することにより提示情報を生成し、データベース等の保持手段に保持する。情報提供サーバは、クライアントの要求に応じて提示情報を送信する。
【００１３】
「成立情報」は、照会及び応募の成立後の経過等を示す成立情報（照会成立情報、応募成立情報）を有する。尚、情報提供サーバは、照会提示情報を閲覧した第２のクライアント（求職者）から照会に対する応諾があった場合、あるいは、応募提示情報を閲覧した第１のクライアント（求人者）から応募に対する応諾があった場合、該当する提示情報を移行（変換等）することにより成立情報を生成し、データベース等の保持手段に保持する。情報提供サーバは、クライアントの要求に応じて提示情報を送信する。
「履歴情報」は、情報提供サーバにおける照会及び応募に関する処理の履歴、例えば、照会回数、応募回数、面接回数、採用決定、就職決定、求人終了、求職終了等を記録、保持する。
【００１４】
求人者は、第１のクライアントから審査済の応募提示情報を閲覧し、当該応募に応諾すると、応募した求職者と接触可能となる。求職者は、第２のクライアントから審査済の照会提示情報を閲覧し、当該照会に応諾すると、照会した求人者と接触可能となる。すなわち、求人者と求職者は、審査済の提示情報を介して接触することになるので、相手の身元等の信憑性を改めて確認する負担、自らの身元等を改めて証明する負担等を軽減することができる。例えば、求職者が医師である場合、偽医者等を予め排除することができる。
【００１５】
また、情報提供サーバは、第１のクライアント（求人者）、第２のクライアント（求職者）から経過（面接中、採用決定、就職決定等）、動向等が送られると、成立情報、履歴情報に反映するので、利用者（求人者、求職者）が最早有効でない情報にアクセスしてしまうことにより生じる弊害（無駄な応募、照会等）等を排除することができる。
【００１６】
尚、情報管理サーバの機能（審査手段）に関しては、情報提供サーバにその機能を設けるようにしてもよい。すなわち、情報管理サーバと情報提供サーバとは、一体として構成してもよいし、分離して構成しネットワークを介して互いに情報を授受するようにしてもよい。
【００１７】
第２の発明は、情報管理サーバと、求人者の第１のクライアントと、求職者の第２のクライアントと、にネットワークを介して接続された情報提供サーバであって、前記求人者の信用情報及び求人条件を含む求人者情報と、前記求職者の信用情報及び求職条件を含む求職者情報と、前記求人者から前記求職者への照会の依頼及び前記求職者から前記求人者への応募の依頼を含む依頼情報と、前記照会及び前記応募の内容を含む提示情報と、前記照会及び前記応募の成立後の経過を含む成立情報と、前記照会及び前記応募に関する履歴情報と、を保持する保持手段と、前記情報管理サーバから前記依頼情報の内容の提示許否に関する審査結果を受信する審査結果受信手段と、を具備することを特徴とする情報提供サーバである。
【００１８】
第２の発明は、第１の発明のマッチング管理システムにおいて用いられる情報提供サーバに関する発明である。
【００１９】
第３の発明は、第１の発明のマッチング管理システムにおいて用いられる情報管理サーバである。尚、情報管理サーバの機能（審査手段）を情報提供サーバに設けるようにしてもよい。すなわち、情報管理サーバと情報提供サーバを一体として構成するようにしてもよい。
【００２０】
第４の発明は、求人者の第１のクライアントと、求職者の第２のクライアントと、にネットワークを介して接続された情報提供サーバが実行する情報提供方法であって、前記情報提供サーバは、前記求人者の信用情報及び求人条件を含む求人者情報と、前記求職者の信用情報及び求職条件を含む求職者情報と、前記求人者から前記求職者への照会の依頼及び前記求職者から前記求人者への応募の依頼を含む依頼情報と、前記照会及び前記応募の内容を含む提示情報と、前記照会及び前記応募の成立後の経過を含む成立情報と、前記照会及び前記応募に関する履歴情報と、を保持する保持ステップと、を具備し、前記情報管理サーバは、前記求人者情報及び前記求職者情報及び前記履歴情報に基づいて、前記依頼情報を審査し、前記照会及び前記応募の内容の提示許否を決定する審査ステップと、を具備することを特徴とするマッチング管理方法である。
【００２１】
第４の発明は、第１の発明のマッチング管理システムにおけるマッチング管理方法である。
【００２２】
第５の発明は、コンピュータを第２の発明の情報提供サーバとして機能させるプログラムである。
第６の発明は、コンピュータを第３の発明の情報管理サーバとして機能させるプログラムである。
【００２３】
第７の発明は、コンピュータを第２の発明の情報提供サーバとして機能させるプログラムを記録した記録媒体である。
第８の発明は、コンピュータを第３の発明の情報管理サーバとして機能させるプログラムを記録した記録媒体である。
【００２４】
上述のプログラムをＣＤ−ＲＯＭ等の記録媒体に保持させて流通させてもよいし、このプログラムを通信回線を介して送受することもできる。
【００２５】
【発明の実施の形態】
以下に、添付図面を参照しながら、本発明に係るマッチング管理システム、情報提供サーバ、情報管理サーバ等の好適な実施形態について詳細に説明する。なお、以下の説明および添付図面において、略同一の機能構成を有する構成要素については、同一の符号を付することにより重複説明を省略することにする。
【００２６】
図１は、本実施の形態に係るマッチング管理システム１０１の概略構成を示す図である。マッチング管理システム１０１は、ネットワークを用いて、医療機関と医師を結びつけ、互いの情報を開示し、マッチングを行うものである。
【００２７】
図１に示すように、マッチング管理システム１０１は、情報提供会社１１３の情報提供サーバ１０３、情報管理会社１１４の情報管理サーバ１０４、医療機関１１５のクライアント１０５、医師１１６のクライアント１０６等が、インターネット等のネットワーク１０２により接続されて構成される。
【００２８】
情報提供会社１１３は、情報提供サーバ１０３を有する。情報提供サーバ１０３は、医療機関データベース１２１、医師データベース１２２、マッチングデータベース１２３、履歴データベース１２４等を有する。情報提供サーバ１０３は、ネットワーク１０２を用いて、医療機関１１５のクライアント１０５、医師１１６のクライアント１０６に個別にパーソナルページを提供し、要求に応じて医師情報、医療機関情報等を提供し、マッチングを行う。また、情報提供サーバ１０３は、情報管理会社１１４の情報管理サーバ１０４にパーソナルページを提供し、要求に応じて医師情報、医療機関情報、履歴情報等を提供する。
【００２９】
情報管理会社１１４は、情報提供サーバ１０３が保持する情報の内容の審査等を行う情報管理会社であり、情報管理サーバ１０４を有する。情報管理サーバ１０４は、電子フォームシステム（図示せず）を有する。電子フォームシステムは、情報管理サーバ１０４が情報提供サーバ１０３に接続して所定の電子フォーム（例えば、依頼情報審査フォーム等）を受け取り、データを入力し、その入力データを情報提供サーバ１０３に送信する処理を行う際に使用される。
【００３０】
医療機関１１５は、医師等の求人を行う病院等の医療機関であり、クライアント１０５を有する。クライアント１０５は、電子フォームシステム（図示せず）を有する。電子フォームシステムは、クライアント１０５が情報提供サーバ１０３に接続して所定の電子フォーム（例えば、会員登録フォーム、医師検索フォーム、照会依頼フォーム、応募閲覧・応募返信フォーム、経過閲覧・経過送信フォーム等）を受け取り、データを入力し、その入力データを情報提供サーバ１０３に送信する処理を行う際に使用される。尚、クライアント１０５は、通常はパーソナルコンピュータ、携帯型端末機等であり、所定のプログラムを実行することにより電子フォームシステムとして機能する。
【００３１】
医師１１６は、病院等の医療機関への就職、転職等を希望する医師等であり、クライアント１０６を有する。クライアント１０６は、電子フォームシステム（図示せず）を有する。電子フォームシステムは、クライアント１０６が情報提供サーバ１０３に接続して所定の電子フォーム（例えば、会員登録フォーム、医療機関検索フォーム、応募依頼フォーム、照会閲覧・照会返信フォーム、経過閲覧・経過送信フォーム等）を受け取り、データを入力し、その入力データを情報提供サーバ１０３に送信する処理を行う際に使用される。尚、クライアント１０６は、通常はパーソナルコンピュータ、携帯型端末機等であり、所定のプログラムを実行することにより電子フォームシステムとして機能する。
【００３２】
電子フォームシステムは、例えば、ＪｅｔＦｏｒｍ社製のＦｏｒｍＦｌｏｗ（商標名）のような、Ｗｅｂ環境で電子帳票を作成するシステムで、文字入力枠を制御する機能、ネットワーク１０２を介して情報提供サーバ１０３上にコンテンツを構築する機能を標準で具備するソフトウェアを利用する。
【００３３】
医療機関データベース１２１には、医療機関１１５の医療機関情報が登録、保存されている。医療機関情報は、医療機関名、所在地、診療科目、病床数、勤務条件、求人条件等である。
医師データベース１２２には、医師１１６の医師情報が登録、保存されている。医師情報は、住所、氏名、年齢、学歴、職歴、求職条件等である。
【００３４】
マッチングデータベース１２３には、依頼情報、提示情報、成立情報等が記録される。依頼情報は、医療機関からの医師の照会依頼に関する照会依頼情報及び医師からの医療機関への応募依頼に関する応募依頼情報を有する。提示情報は、医療機関から医師への照会内容に係る照会提示情報、医師から医療機関への応募内容に係る応募提示情報を有する。成立情報は、照会提示情報を閲覧した医師が医療機関からの照会を応諾したことを示す照会成立情報、応募提示情報を閲覧した医療機関が医師からの応募を応諾したことを示す応募成立情報を有する。
【００３５】
履歴データベース１２４は、情報提供サーバ１０３における照会及び応募に係る処理の履歴、例えば、照会回数、応募回数、面接回数、採用決定、就職決定、求人終了、求職終了等を記録、保持する。
【００３６】
次に、マッチング管理システム１０１の処理概要について説明する。
図２は、マッチング管理システム１０１の処理概要を示す図である。
【００３７】
医療機関１１５は、クライアント１０５を用いて、ネットワーク１０２を介して、情報提供サーバ１０３の所定のサイトにアクセスし、情報提供サーバ１０３から受信する会員登録フォーム２１１に従って、会員情報（医療機関情報）を登録する（ステップ２０１）。情報提供サーバ１０３は、医療機関情報を医療機関データベース１２１に登録、保持し、会員ＩＤ、パスワード（パーソナルページ２１０のＵＲＬ等）を発行、通知する。
【００３８】
会員となった医療機関１１５は、クライアント１０５を用いて、ネットワーク１０２を介して、情報提供サーバ１０３のパーソナルページ２１０にアクセスし、情報提供サーバ１０３から受信する医師検索フォーム２１２に従って、医師データベース１２２上の医師情報を検索する（ステップ２０２）。
クライアント１０５は、情報提供サーバ１０３に対して、照会依頼フォーム２１３に従って、希望医師の照会依頼を行う（ステップ２０３）。
【００３９】
クライアント１０５は、応募閲覧・応募返信フォーム２１４に従って、医師１１６からの応募確認、応募返信を行う（ステップ２０４）。
クライアント１０５は、経過閲覧・経過送信フォーム２１５に従って、照会成立後、応募成立後における、経過を閲覧したり、経過を送信・通知したりする（ステップ２０５）。
【００４０】
医師１１６は、クライアント１０６を用いて、ネットワーク１０２を介して、情報提供サーバ１０３の所定のサイトにアクセスし、情報提供サーバ１０３から受信する会員登録フォーム２３１に従って、会員情報（医師情報）を登録する（ステップ２２１）。情報提供サーバ１０３は、医師情報を医師データベース１２２に登録、保持し、会員ＩＤ、パスワード（パーソナルページ２３０のＵＲＬ等）を発行、通知する。
【００４１】
会員となった医師１１６は、クライアント１０６を用いて、ネットワーク１０２を介して、情報提供サーバ１０３のパーソナルページ２３０にアクセスし、情報提供サーバ１０３から受信する医療機関検索フォーム２３２に従って、医療機関データベース１２１上の医療機関情報を検索する（ステップ２２２）。
クライアント１０６は、情報提供サーバ１０３に対して、応募依頼フォーム２３３に従って、希望医療機関への応募依頼を行う（ステップ２２３）。
【００４２】
クライアント１０６は、照会閲覧・照会返信フォーム２３４に従って、医療機関１１５からの照会確認、照会返信を行う（ステップ２２４）。
クライアント１０６は、経過閲覧・経過送信フォーム２３５に従って、照会成立後、応募成立後における、経過を閲覧したり、経過を送信・通知したりする（ステップ２２５）。
【００４３】
次に、図３乃至図１３を参照しながら、マッチング管理システム１０１の処理手順を詳しく説明する。
【００４４】
まず、医療機関１１５の会員登録処理（ステップ２０１）について説明する。
図３は、会員登録の処理手順を示すフローチャートである。
【００４５】
医療機関１１５のクライアント１０５は、ネットワーク１０２を介して、情報提供サーバ１０３の所定のサイトにアクセスし、情報提供サーバ１０３から受信した会員登録フォーム２１１に従って、会員情報（医療機関情報）を入力する（ステップ３０１）。入力する医療機関情報は、医療機関名、所在地、診療科目、病床数、勤務条件、求人条件等である。
【００４６】
情報提供サーバ１０３は、受け取った医療機関情報を医療機関データベース１２１に登録、保持し（ステップ３０２）、会員ＩＤ、パスワード（パーソナルページ２１０のＵＲＬ等）を発行、通知する（ステップ３０３）。クライアント１０５は、会員ＩＤ、パスワードを取得する（ステップ３０４）。
【００４７】
次に、医師１１６の会員登録処理（ステップ２２１）について説明する。
図４は、会員登録の処理手順を示すフローチャートである。
【００４８】
医師１１６のクライアント１０６は、ネットワーク１０２を介して、情報提供サーバ１０３の所定のサイトにアクセスし、情報提供サーバ１０３から受信した会員登録フォーム２３１に従って、会員情報（医師情報）を入力する（ステップ４０１）。入力する医師情報は、住所、氏名、診療科目、年齢、学歴、職歴、求職条件等である。
【００４９】
情報提供サーバ１０３は、受け取った医療機関情報を医師データベース１２２に登録、保持し（ステップ４０２）、会員ＩＤ、パスワード（パーソナルページ２３０のＵＲＬ等）を発行、通知する（ステップ４０３）。クライアント１０６は、会員ＩＤ、パスワードを取得する（ステップ４０４）。
【００５０】
次に、医療機関１１５側の医師検索処理（ステップ２０２）について説明する。
図５は、医師検索の処理手順を示すフローチャートである。
【００５１】
医療機関１１５のクライアント１０５は、情報提供サーバ１０３のパーソナルページ２１０にアクセスし、情報提供サーバ１０３から受信した医師検索フォーム２１２に従って、医師情報検索の検索条件を入力し、送信する（ステップ５０１）。情報提供サーバ１０３は、受け取った検索条件に基づいて、医師データベース１２２より医師情報を検索、抽出し、クライアント１０５に送信する（ステップ５０２）。クライアント１０５は、受信した医師情報を表示し、閲覧する（ステップ５０３）。
【００５２】
尚、医師検索処理において、情報提供サーバ１０３は、医療機関データベース１２１の求人条件等に該当する医師情報を医師データベース１２２から自動的に抽出して、クライアント１０５に送信するようにしてもよい。
【００５３】
次に、医師１１６側の医療機関検索処理（ステップ２２２）について説明する。
図６は、医療機関検索の処理手順を示すフローチャートである。
【００５４】
医師１１６のクライアント１０６は、情報提供サーバ１０３のパーソナルページ２３０にアクセスし、情報提供サーバ１０３から受信した医療機関検索フォーム２３２に従って、医療機関情報検索の検索条件を入力し、送信する（ステップ６０１）。情報提供サーバ１０３は、受け取った検索条件に基づいて、医療機関データベース１２１より医療機関情報を検索、抽出し、クライアント１０６に送信する（ステップ６０２）。クライアント１０６は、受信した医療機関情報を表示し、閲覧する（ステップ６０３）。
【００５５】
尚、医療機関検索処理において、情報提供サーバ１０３は、医師データベース１２２の求職条件等に該当する医療機関情報を医療機関データベース１２１から自動的に抽出して、クライアント１０６に送信するようにしてもよい。
【００５６】
次に、医療機関１１５側の所望医師への照会依頼処理（ステップ２０３）について説明する。
図７は、照会依頼処理手順を示すフローチャートである。
【００５７】
医療機関１１５のクライアント１０５は、情報提供サーバ１０３のパーソナルページ２１０にアクセスし、情報提供サーバ１０３から受信した照会依頼フォーム２１３に従って、接触を希望する医師に対する照会内容を入力し、照会依頼を送信する（ステップ７０１）。情報提供サーバ１０３は、受け取った照会依頼に基づいて、マッチングデータベース１２３に依頼情報２６１（照会依頼情報２６２）として登録、保持する（ステップ７０２）。
尚、依頼情報２６１は、情報管理会社１１４の情報管理サーバ１０４による審査を待つ、受付待ち情報である。
【００５８】
次に、医師１１６側の所望医療機関への応募依頼処理（ステップ２２３）について説明する。
図８は、応募依頼処理手順を示すフローチャートである。
【００５９】
医師１１６のクライアント１０６は、情報提供サーバ１０３のパーソナルページ２３０にアクセスし、情報提供サーバ１０３から受信した応募依頼フォーム２３３に従って、接触を希望する医療機関に対する応募内容を入力し、応募依頼を送信する（ステップ８０１）。情報提供サーバ１０３は、受け取った応募依頼に基づいて、マッチングデータベース１２３に依頼情報２６１（応募依頼情報２６３）として登録、保持する（ステップ８０２）。
尚、依頼情報２６１は、情報管理会社１１４の情報管理サーバ１０４による審査を待つ、受付待ち情報である。
【００６０】
次に、情報管理会社１１４における依頼情報審査処理（ステップ２４１）について説明する。
図９は、情報管理会社１１４の情報管理サーバ１０４の依頼情報審査の処理手順を示すフローチャートである。
【００６１】
情報管理サーバ１０４は、情報提供サーバ１０３のパーソナルページ２５０にアクセスし、情報提供サーバ１０３から受信した依頼情報審査フォーム２５１に従って、依頼情報（照会依頼情報、応募依頼情報）の閲覧要求を行う（ステップ９０１）。
情報提供サーバ１０３は、マッチングデータベース１２３に審査受付待ち情報として登録、保持されている依頼情報２６１（照会依頼情報２６２、応募依頼情報２６３）を送信する（ステップ９０２）。
情報管理サーバ１０４は、依頼情報を表示し、その内容を閲覧、確認する（ステップ９０３）。
【００６２】
情報管理サーバ１０４は、必要に応じて、依頼情報に係る医療機関情報、医師情報、履歴情報（照会回数、応募回数、面接回数、採用決定、就職決定、求人終了、求職終了等）の閲覧要求を行い（ステップ９０４）、情報管理サーバ１０４は、当該要求に応じて、医療機関データベース１２１、医師データベース１２２、履歴データベース１２４から、医療機関情報、医師情報、履歴情報を検索、抽出し、送信する（ステップ９０５）。情報管理サーバ１０４は、医療機関情報、医師情報、履歴情報を表示、閲覧する（ステップ９０６）。これらの医療機関情報、医師情報、履歴情報は、審査における判断資料等として用いられたりする。
【００６３】
情報管理サーバ１０４は、医療機関情報、医師情報、履歴情報等に基づいて、依頼情報それぞれについて処理を進めるかどうか、依頼情報に係る照会の内容、応募の内容をクライアント１１５、１１６に提示してよいかどうか等を審査し、審査結果を情報提供サーバ１０３に送信する（ステップ９０７）。情報提供サーバ１０３は、受け取った審査結果に基づいて、提示可能（処理可能）な依頼情報２６１（照会依頼情報２６２、応募依頼情報２６３）を提示情報２６４（照会提示情報２６５、応募提示情報２６６）へ移行し、マッチングデータベース１２３に登録、保持する（ステップ９０８）。
【００６４】
尚、情報提供サーバ１０３は、処理を保留する依頼情報に関しては、審査受付待ち情報としての依頼情報をそのまま保持し、処理が許可されない依頼情報に関しては、マッチングデータベース１２３から削除したり、対応する医療機関１１５のクライアント１０５、医師１１６のクライアント１０６に対してその旨通知する。
【００６５】
次に、医療機関１１５側の応募閲覧、応募返信処理（ステップ２０４）について説明する。
図１０は、医療機関１１５側の応募閲覧、応募返信処理の処理手順を示すフローチャートである。
【００６６】
医療機関１１５のクライアント１０５は、情報提供サーバ１０３のパーソナルページ２１０にアクセスし、情報提供サーバ１０３から受信した応募閲覧・応募返信フォーム２１４に従って、医師１１６からの応募状況の閲覧要求を行う（ステップ１００１）。
【００６７】
情報提供サーバ１０３は、マッチングデータベース１２３に登録、保持されている応募提示情報２６６を送信する（ステップ１００２）。
【００６８】
クライアント１０５は、応募提示情報を表示、閲覧し、医師からの応募状況を確認し（ステップ１００３）、医師からの応募に関して、応募対応の可否、面接日等を返信する（ステップ１００４）。
【００６９】
情報提供サーバ１０３は、応募対応可に係る応募提示情報を成立情報２６７（応募成立情報２６９）へ移行し、マッチングデータベース１２３に登録、保持する（ステップ１００５）。尚、情報提供サーバ１０３は、応募対応不可に係る応募提示情報を削除し、その旨を医師１１６のクライアント１０６に通知する。情報提供サーバ１０３は、成立情報の内容を履歴データベース１２４に反映する（ステップ１００６）。
【００７０】
次に、医師１１６側の照会閲覧、照会返信処理（ステップ２２４）について説明する。
図１１は、医師１１６側の照会閲覧、照会返信処理の処理手順を示すフローチャートである。
【００７１】
医師１１６のクライアント１０６は、情報提供サーバ１０３のパーソナルページ２３０にアクセスし、情報提供サーバ１０３から受信した照会閲覧・照会返信フォーム２３４に従って、医療機関１１５からの照会状況の閲覧要求を行う（ステップ１１０１）。
【００７２】
情報提供サーバ１０３は、マッチングデータベース１２３に登録、保持されている照会提示情報２６５を送信する（ステップ１１０２）。
【００７３】
クライアント１０６は、照会提示情報を表示、閲覧し、医療機関からの照会状況を確認し（ステップ１１０３）、医療機関からの応募に関して、照会対応の可否、面接可能日等を返信する（ステップ１１０４）。
【００７４】
情報提供サーバ１０３は、照会対応可に係る照会提示情報を成立情報２６７（照会成立情報２６８）へ移行し、マッチングデータベース１２３に登録、保持する（ステップ１１０５）。尚、情報提供サーバ１０３は、照会対応不可に係る照会提示情報を削除し、その旨を医療機関１１５のクライアント１０５に通知する。情報提供サーバ１０３は、成立情報の内容を履歴データベース１２４に反映する（ステップ１１０６）。
【００７５】
次に、医療機関１１５側の経過閲覧、経過送信処理（ステップ２０５）について説明する。
図１２は、医療機関側の経過閲覧、経過送信処理の処理手順を示すフローチャートである。
【００７６】
医療機関１１５のクライアント１０５は、情報提供サーバ１０３のパーソナルページ２１０にアクセスし、情報提供サーバ１０３から受信した経過閲覧・経過送信フォーム２１５に従って、成立情報の閲覧要求を行う（ステップ１２０１）。
【００７７】
情報提供サーバ１０３は、マッチングデータベース１２３に登録、保持されている成立情報２６７を送信する（ステップ１２０２）。
クライアント１０５は、成立情報を表示、閲覧する（ステップ１２０３）。医療機関１１５は、この成立情報を確認することにより、接触中の医師の動向、経過等を確認することができる。クライアント１０５は、接触中の医師への通信事項、経過状況等を送信する（ステップ１２０４）。
情報提供サーバ１０３は、送信された経過状況、通信事項等を成立情報２６７及び履歴データベース１２４に反映する（ステップ１２０５）。
【００７８】
次に、医師１１６側の経過閲覧、経過送信処理（ステップ２２５）について説明する。
図１３は、医師側の経過閲覧、経過送信処理の処理手順を示すフローチャートである。
【００７９】
医師１１６のクライアント１０６は、情報提供サーバ１０３のパーソナルページ２３０にアクセスし、情報提供サーバ１０３から受信した経過閲覧・経過送信フォーム２３５に従って、成立情報の閲覧要求を行う（ステップ１３０１）。
【００８０】
情報提供サーバ１０３は、マッチングデータベース１２３に登録、保持されている成立情報２６７を送信する（ステップ１３０２）。
クライアント１０６は、成立情報を表示、閲覧する（ステップ１３０３）。医師１１６は、この成立情報を確認することにより、接触中の医療機関の動向、経過等を確認することができる。クライアント１０６は、接触中の医療機関への通信事項、経過状況等を送信する（ステップ１３０４）。
情報提供サーバ１０３は、送信された経過状況、通信事項等を成立情報２６７及び履歴データベース１２４に反映する（ステップ１３０５）。
【００８１】
以上の過程を経て、医療機関１１５のクライアント１０５が医師の照会依頼を行うと、あるいは、医師１１６のクライアント１０６が医療機関への応募依頼を行うと、情報提供会社１１３の情報提供サーバ１０３は、これらの照会依頼及び応募依頼を依頼情報２６１（照会依頼情報２６２、応募依頼情報２６３）としてマッチングデータベース１２３に登録、保持する。情報管理会社１１４の情報管理サーバ１０４は、医療機関情報、医師情報、履歴情報等を判断材料として、依頼情報の内容を審査し、当該依頼情報の処理の可否、当該依頼情報に係る照会内容、応募内容の提示の可否等についての審査結果を情報提供サーバ１０３に返す。
【００８２】
情報提供サーバ１０３は、提示可能（処理可能）な依頼情報を提示情報２６４に移行して登録、保持し、提示不可（処理不可）の依頼情報については削除しその旨を関係する医療機関、医師に理由と共に通知する。また、処理保留の依頼情報に関しては、そのまま再審査の機会を待つ。
情報提供サーバ１０３は、照会先の医師もしくは応募先の医療機関から応諾があった場合、対応する提示情報を成立情報２６７に移行して登録、保持し、拒否された場合、対応する提示情報を削除しその旨を関係する医療機関、医師に理由と共に通知する。
【００８３】
医療機関１１５のクライアント１０５及び医師１１６のクライアント１０６は、成立情報を閲覧することにより相手の動向、経過等を確認したり、動向、経過等を情報提供サーバ１０３に送信したりする。これらの動向、経過等は、成立情報２６７、履歴データベース１２４に反映される。
【００８４】
以上説明したように、本実施の形態によれば、情報提供サーバ１０３は、照会、応募に係る依頼情報を審査受付待ち情報として登録、保持し、情報管理サーバ１０４からの審査結果を待って、照会内容、応募内容が相手先の医師、医療機関に提示されるので、医療機関側が応募医師の身元、資格保持の有無等を改めて確認する負担が軽減され、医師側にしても自らの身元、資格保持の有無等を改めて証明する負担が軽減される。ひいては、ネットワークを介しての求人活動、求職活動の安全性の向上を図ることができる。
【００８５】
また、医療機関１１５のクライアント１０５、医師１１６のクライアント１０６は、成立情報を閲覧することにより、応募、照会に係る経過状況、相手先の動向等をリアルタイムに把握することができるので、求人活動、求職活動を円滑かつ効率的に行うことができる。
【００８６】
また、履歴データベース１２４の内容に応じて、医療機関データベース１２１及び医師データベース１２２の内容を更新するようにしてもよい。情報提供サーバ１０３は、求人を終了した医療機関に関する情報を更新したり、求職を終了した医師に関する情報を更新したりする。この場合、求人を終了した医療機関について応募依頼を行ったり、求職を終了した医師について照会依頼を行うといった無駄な処理を軽減することができる。
【００８７】
また、成立情報、履歴情報は、医療機関及び医師からのアクセス履歴、照会及び応募に係る経過情報を有するので、情報提供サーバ１０３は、成立情報、履歴情報等に基づいて、医療機関等に対して課金処理を行うことができる。
また、情報管理サーバ１０４は、依頼情報に関して、有効期限切れ、身元不詳等による処理不可、再審査等の審査結果を出す場合、その旨を警告として表示等を行うようにしてもよい。
【００８８】
また、マッチング管理システムは、上述した医療関係におけるマッチングに限られず、いかなる職種においても適用可能である。すなわち、一般の求人者と求職者とを結びつけるマッチング管理システムとして利用可能である。
また、マッチング管理システム１０１は、ＪｅｔＦｏｒｍ社製のソフトウェア等を用いずに構築することもできる。
また、図３〜図１３等に示す処理を行うプログラムをＣＤ−ＲＯＭ等の記録媒体に保持させて流通させてもよいし、このプログラムを通信回線を介して送受することもできる。
【００８９】
以上、添付図面を参照しながら、本発明にかかるマッチング管理システム、情報提供サーバ、情報管理サーバ等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【００９０】
【発明の効果】
以上、詳細に説明したように本発明によれば、利用者に信頼性の高い情報を提供することが可能であり、安全かつ円滑に求人活動及び求職活動を行うことができるマッチング管理システム等を提供することができる。
【図面の簡単な説明】
【図１】本実施の形態に係るマッチング管理システム１０１の概略構成を示す図
【図２】マッチング管理システム１０１の処理概要を示す図
【図３】会員登録（医療機関）の処理手順を示すフローチャート
【図４】会員登録（医師）の処理手順を示すフローチャート
【図５】医師検索の処理手順を示すフローチャート
【図６】医療機関検索の処理手順を示すフローチャート
【図７】照会依頼処理手順を示すフローチャート
【図８】応募依頼処理手順を示すフローチャート
【図９】依頼情報審査の処理手順を示すフローチャート
【図１０】応募閲覧、応募返信処理の処理手順を示すフローチャート
【図１１】照会閲覧、照会返信処理の処理手順を示すフローチャート
【図１２】経過閲覧、経過送信処理（医療機関）の処理手順を示すフローチャート
【図１３】経過閲覧、経過送信処理（医師）の処理手順を示すフローチャート
【符号の説明】
１０１………マッチング管理システム
１０２………ネットワーク
１０３………情報提供サーバ
１０４………情報管理サーバ
１０５………クライアント
１０６………クライアント
１１３………情報提供会社
１１４………情報管理会社
１１５………医療機関
１１６………医師
１２１………医療機関データベース
１２２………医師データベース
１２３………マッチングデータベース
１２４………履歴データベース
【図１】
2004094759.tif 000003
【図２】
2004094759.tif 000004
【図３】
2004094759.tif 000005
【図４】
2004094759.tif 000006
【図５】
2004094759.tif 000007
【図６】
2004094759.tif 000008
【図７】
2004094759.tif 000009
【図８】
2004094759.tif 000010
【図９】
2004094759.tif 000011
【図１０】
2004094759.tif 000012
【図１１】
2004094759.tif 000013
【図１２】
2004094759.tif 000014
【図１３】
2004094759.tif 000015